(57)【要約】アンテナ切替装置（４）は、第１および第２のアンテナ（２、３）を切替えるためのアンテナ切替装置（４）であって、ベース部材（９）と、第１のアンテナ（２）の一部に接触可能な部分を有し、第１のアンテナ（２）の移動に応じてベース部材（９）に対して直線移動する移動部材（１０）と、移動部材（１０）を第１のアンテナ（２）の一部に向かって付勢する付勢部材（１１、２１、２５、２８）とを備える。
2003012918.tif 000002
【特許請求の範囲】
【請求項１】
第１および第２のアンテナ（２、３）を切替えるためのアンテナ切替装置（４）であって、
ベース部材（９）と、
前記第１のアンテナ（２）の一部に接触可能な部分を有し、前記第１のアンテナ（２）の移動に応じて前記ベース部材（９）に対して直線移動する移動部材（１０）と、
前記移動部材（１０）を前記第１のアンテナ（２）の一部に向かって付勢する付勢部材（１１、２１、２５、２８）とを備える、アンテナ切替装置。
【請求項２】
前記第１のアンテナ（２）の移動に応じて、前記第１および第２のアンテナ（２、３）のうち使用するアンテナを切替える切替手段（８、１５）を含む、請求の範囲第１項記載のアンテナ切替装置。
【請求項３】
前記切替手段（８、１５、２４、２５、２３）は、前記ベース部材（９）に対する前記移動部材（１０）の位置を検出する検出部材（１５）を含む、請求の範囲第２項記載のアンテナ切替装置。
【請求項４】
前記検出部材（２４、２５、２３）は前記移動部材（１０）と一体成形されている、請求の範囲第３項記載のアンテナ切替装置。
【請求項５】
前記第１のアンテナ（２）は引出し可能な線状アンテナ（２）であり、
前記付勢部材（１１、２１、２５、２８）は、前記第１のアンテナ（２）が引き出されていない状態において、前記移動部材（１０）が前記第１のアンテナ（２）の一部と接触するように前記移動部材（１０）を付勢する一方、前記第１のアンテナ（２）が引出された状態において前記移動部材（１０）が前記第１のアンテナ（２）の一部と接触せずに、前記第１のアンテナ（２）の一部と接触していたときの位置から移動するように、前記移動部材（１０）を付勢する、請求の範囲第１項記載のアンテナ切替装置。
【請求項６】
前記付勢部材（１１、２１、２５、２８）はコイル状バネ（１１、２８）を含む、請求の範囲第１項記載のアンテナ切替装置。
【請求項７】
前記付勢部材（１１、２１、２５、２８）は板状バネ（２１、２５）を含む、請求の範囲第１項記載のアンテナ切替装置。
【請求項８】
前記移動部材（１０）と前記板状バネ（２１、２５）とは一体成形されている、請求の範囲第７項記載のアンテナ切替装置。
【請求項９】
前記ベース部材（９）と前記板状バネ（２１）とは一体成形されている、請求の範囲第７項記載のアンテナ切替装置。
【請求項１０】
複数のアンテナを備える携帯機器（１）であって、請求の範囲第１項記載のアンテナ切替装置（４）を備える携帯機器。
【請求項１１】
第１および第２のアンテナ（２、３）を切替えるためのアンテナ切替装置（３０）であって、
前記第１のアンテナ（２）の一部に接触可能に配置され、前記第１のアンテナ（２）の移動に応じて開／閉状態が切替わる開閉部材（３１）と、
前記開閉部材（３１）の開／閉状態を検出する検出部材（３４）とを備える、アンテナ切替装置。
【請求項１２】
前記第１のアンテナ（２）において前記開閉部材（３１）に接触する部分には、開閉部材（３１）を押圧する為の凸部（２９）が形成されている、請求の範囲第１１項記載のアンテナ切替装置。
【請求項１３】
複数のアンテナを備える携帯機器（１）であって、請求の範囲第１１項記載のアンテナ切替装置（３０）を備える携帯機器。
【発明の詳細な説明】
技術分野
この発明はアンテナ切替装置および携帯機器に関し、特に、携帯電話機やノートパソコン、個人情報端末などの携帯機器であって複数のアンテナを備えるものに用いられるアンテナ切替装置と、そのアンテナ切替装置を用いた携帯機器に関する。
背景技術
近年、携帯電話機やノートパソコン、個人情報端末などの携帯機器が急速に普及している。このような携帯機器において通信機能を有するものには、通信のための電波を送受信するアンテナが備えられている。そして、携帯機器の配置や環境などに応じてより良好な通信品質を得るため、携帯機器において複数のアンテナを設置する場合がある。このような複数のアンテナを備える携帯機器においては、これらの複数のアンテナのうちいずれのアンテナを通信に使用するかを切替えるためのアンテナ切替装置が設置されている。
このようなアンテナ切替装置としては、従来たとえば実開平１−９１３４８号公報に開示されたようなアンテナ切替装置が知られている。上記実開平１−９１３４８号公報では、引出し式の線状外部アンテナと、携帯機器（無線機）の筐体内部に設置された内部アンテナとを切替えるアンテナ切替装置が開示されている。上記実開平１−９１３４８号公報に開示されたアンテナ切替装置は、線状外部アンテナの引出し・収納動作により回動する回転式のカム部材を備える。この回転式のカム部材を回動させることにより、カム部材に連結されたロータの一方端部が切替スイッチのアクチュエータを押圧・開放する。この結果、線状外部アンテナの引出し・収納動作により切替スイッチのオン／オフを切替えることができるので、この切替スイッチのオン／オフによって線状外部アンテナと内部アンテナとを切替えて使用することができる。
また、従来の他のアンテナ切替装置としては、線状外部アンテナを挿通させる開口部を有するベースと、このベースに設置され、線状外部アンテナの一部が開口部に存在している場合と存在していない場合とで位置を変えるスライドカムと、このスライドカムに連結され、スライドカムの動作に合わせて回動する回転カムと、この回転カムを固定するとともに、回転軸となるネジと、ネジを固定する際に用いるワッシャーと、回転カムに一定方向の応力を付与するためのバネとを備えるアンテナ切替装置が提案されている。上記他のアンテナ切替装置では、線状外部アンテナの引出し／収納動作によりスライドカムの位置が変化する。そして、スライドカムの位置の変化に伴って回転カムが回動する。この回転カムの回動により、上述した実開平１−９１３４８号公報に開示された技術と同様に、切替スイッチなどのオン／オフを切替えることができる。したがって、切替スイッチのオン／オフによって線状外部アンテナと内部アンテナとを切替えて使用することができる。
しかし、上述した実開平１−９１３４８号公報に開示されたアンテナ切替装置は、上述のようにカム部材、ロータ、これらの位置を固定するとともに回動させる際の中心となるネジ、カム部材やロータに一定方向の応力を加えるためのコイルバネというように、多くの部品を必要とする。また、上述した従来の他のアンテナ切替装置も、ベース、スライドカム、回転カム、ネジ、ワッシャー、バネといった、多数の部品を必要とする。このような多数の部品により構成されるので、アンテナ切替装置としての機構精度（たとえば寸法精度など）を所定のレベルに維持するためには、各部品毎の寸法精度などをある高くしておく必要がある。このため、部品の設計余裕が比較的小さくなるので、アンテナ切替装置の設計が難しくなっていた。
また、上述した従来のアンテナ切替装置は、その構造も比較的複雑である。したがって、上記のようなアンテナ切替装置を組立てる作業は面倒で時間のかかるものであるので、結果的にこのアンテナ切替装置を適用した携帯機器の製造コストを上昇させることになっていた。
この発明は、上記のような課題を解決するためになされたものであり、この発明の目的は、機構精度を向上させることができると共に、製造コストを低減することが可能なアンテナ切替装置およびそのアンテナ切替装置を用いた携帯機器を提供することである。
発明の開示
この発明の１の局面におけるアンテナ切替装置は、第１および第２のアンテナを切替えるためのアンテナ切替装置であって、ベース部材と、第１のアンテナの一部に接触可能な部分を有し、第１のアンテナの移動に応じてベース部材に対して直線移動する移動部材と、移動部材を第１のアンテナの一部に向かって付勢する付勢部材とを備える。
このようにすれば、付勢部材によって移動部材が第１のアンテナの一部の表面に接触した状態を保つことができる。そして、第１のアンテナの移動に応じて移動部材が直線移動するので、移動部材の移動方向に沿った方向において、移動部材の位置を検出する検出器を設けておけば、移動部材の位置により第１のアンテナの移動状況（すなわち、ベース部材に対する第１のアンテナの相対的な位置）を容易に検出することができる。したがって、この検出器の出力を利用して、状況に応じて第１のアンテナと第２のアンテナとのうちのいずれを使用するかを切替えることが可能になる。
また、上述のように移動部材は直線移動するので、たとえば移動部材をベース部材の内部に形成した直線状の移動路に保持するようにしておけば、アンテナ切替装置を上記ベース部材と移動部材と付勢部材という３つの要素によって実現できる。つまり、従来のように回転カムなどを用いる場合には、この回転カムを固定するためのネジなどが必要であったが、本発明によるアンテナ切替装置はこのようなネジを必要とせず、装置構成を簡略化できる。したがって、本発明によるアンテナ切替装置では、その部品点数が少ない事により原料コストを低減できる。また、部品点数が少ないために、アンテナ切替装置の機構精度を従来と同程度にする場合、個々の部品の設計余裕を従来よりも大きくできる。また、個々の部品の設計余裕を従来と同程度にしておけば、アンテナ切替装置の機構精度を従来より向上させることができる。
また、上述のようにアンテナ切替装置の装置構成を簡略化しているので、アンテナ切替装置の製造工程を簡略化することが可能である。つまり、アンテナ切替装置の製造工程に要する時間を短縮することができるので、アンテナ切替装置の製造コストを低減することができる。
また、このような単純な構成のアンテナ切替装置は容易に小型化を図る事ができるため、アンテナ切替装置が占有する部分の面積（あるいは占有領域の体積）を小さくできる。また、アンテナ切替装置の軽量化を図ることもできる。したがって、このアンテナ切替装置を適用した携帯機器を小型化する場合、アンテナ切替装置がその小型化の妨げとなることを防止できる。
上記１の局面におけるアンテナ切替装置は、第１のアンテナの移動に応じて、第１および第２のアンテナのうち使用するアンテナを切替える切替手段を含んでいてもよい。
この場合、アンテナ切替装置自体が切替手段を備えているので、移動部材の位置を検出する検出器などを別部材として設置する場合より、アンテナ切替装置を適用する携帯機器の装置構成を簡略化できる。したがって、本発明によるアンテナ切替装置を適用した携帯機器の製造コストを削減することができる。
上記１の局面におけるアンテナ切替装置では、切替手段がベース部材に対する移動部材の位置を検出する検出部材を含んでいてもよい。
この場合、検出部材により検出された移動部材の位置に応じて、第１および第２のアンテナのうちいずれを使用するかを容易に切替えることができる。
上記１の局面におけるアンテナ切替装置では、検出部材が移動部材と一体成形されていてもよい。
この場合、検出部材を移動部材とは別の部材として配置する装置構成より、アンテナ切替装置の構成を単純化・小型化できる。
上記１の局面におけるアンテナ切替装置では、第１のアンテナはベース部材から引出し可能な線状アンテナであってもよく、付勢部材は、第１のアンテナが引き出されていない状態において、移動部材が第１のアンテナの一部と接触するように移動部材を付勢する一方、第１のアンテナがベース部材から引出された状態において移動部材が第１のアンテナの一部と接触せず、第１のアンテナの一部と接触していたときの位置から移動するように移動部材を付勢してもよい。
この場合、線状の第１のアンテナが引出された状態と、第１のアンテナが引出されていない（収納された）状態とで、移動部材の位置を付勢部材により確実に変更することができる。したがって、移動部材の位置を検出することにより、第１のアンテナの引出された状態／収納状態の変化を確実に検知することができる。この結果、第１のアンテナの状態により第１および第２のアンテナのいずれを使用するかを容易に変更できる。
上記１の局面におけるアンテナ切替装置では、付勢部材がコイル状バネを含んでいてもよい。
この場合、比較的入手が容易で安価なコイル状バネを付勢部材として利用するので、アンテナ切替装置の製造コストが上昇する事を抑制できる。
上記１の局面におけるアンテナ切替装置では、付勢部材が板状バネを含んでいてもよい。
この場合、板状バネは比較的単純な形状であるので、板状バネの材料として弾性を有する樹脂などの誘電体を用いることができる。付勢部材として金属性のバネを用いる場合、この金属は導電体でもあることから、アンテナの特性に悪影響を及ぼすおそれがある。しかし、上記のように樹脂などの誘電体により構成される板状バネを付勢部材として利用すれば、付勢部材がアンテナの特性に悪影響を及ぼす事を防止できる。
上記１の局面におけるアンテナ切替装置では、移動部材と板状バネとが一体成形されていてもよい。
この場合、移動部材と付勢部材としての板状バネとが一体成形されることにより、アンテナ切替装置の部品点数をさらに削減できる。このため、アンテナ切替装置の装置構成をより簡略化できる。
上記１の局面におけるアンテナ切替装置では、ベース部材と板状バネとが一体成形されていてもよい。
この場合、ベース部材と付勢部材としての板状バネとが一体成形されることにより、アンテナ切替装置の部品点数をさらに削減できる。このため、アンテナ切替装置の装置構成をより簡略化できる。
この発明の他の局面におけるアンテナ切替装置は、第１および第２のアンテナを切替えるためのアンテナ切替装置であって、第１のアンテナの一部に接触可能に配置され、第１のアンテナの移動に応じて開／閉状態が切替わる開閉部材と、開閉部材の開／閉状態を検出する検出部材とを備える。
このようにすれば、開閉部材の状態を検出部材により検出することで第１のアンテナの移動状況（位置）を容易に検知できる。したがって、この検出部材の出力を利用して、第１のアンテナと第２のアンテナとのうちのいずれを使用するかを切替えることが可能になる。
また、開閉部材と検出部材という２つの部材によりアンテナ切替部材を構成できるので、装置構成を従来より簡略化できる。したがって、状基本発明の他の局面におけるアンテナ切替装置では、その部品点数が少ない事により原料コストを低減できる。また、部品点数が少ないために、アンテナ切替装置の機構精度を従来と同程度にする場合、個々の部品の設計余裕を従来よりも大きくできる。また、個々の部品の設計余裕を従来と同程度にしておけば、アンテナ切替装置の機構精度を従来より向上させることができる。
また、上述のようにアンテナ切替装置の装置構成を簡略化しているので、アンテナ切替装置の製造工程を簡略化することが可能である。つまり、アンテナ切替装置の製造工程に要する時間を短縮することができるので、アンテナ切替装置の製造コストを低減することができる。
また、このような単純な構成のアンテナ切替装置は小型化を図る事ができるため、アンテナ切替装置が占有する部分の面積（あるいは占有領域の体積）を小さくできる。また、アンテナ切替装置の軽量化を図ることもできる。この結果、このアンテナ切替装置を適用した携帯機器を小型化する場合、アンテナ切替装置がその小型化の妨げとなることを防止できる。
上記他の局面におけるアンテナ切替装置では、第１のアンテナにおいて開閉部材に接触する部分には、開閉部材を押圧する為の凸部が形成されていてもよい。
この場合、第１のアンテナが開閉部材と接触可能な位置にまで移動した場合、第１のアンテナの凸部により開閉部材を押圧することにより、開閉部材を確実に閉状態とすることができる。したがって、第１のアンテナの位置を誤検出ことを防止できる。
この発明の別の局面における携帯機器は、複数のアンテナを備える携帯機器であって、上記１の局面またはもう一つの局面におけるアンテナ切替装置を備える。
このようにすれば、本発明によるアンテナ切替装置は簡略化した装置構成を備えるため従来より小型化・軽量化することができるので、従来よりも小型・軽量の携帯機器を実現できる。また、アンテナ切替装置の部品点数も従来より少ないため、アンテナ切替装置の原料コストを低減できると共に製造工程を簡略化できる。この結果、携帯機器の製造コストを低減できる。
発明を実施するための最良の形態
以下、この発明を実施するための最良の形態について図面に従って説明する。なお、以下の図面において同一または相当する部分には同一の参照番号を付しその説明は繰返さない。
（実施の形態１）
図１を参照して、携帯電話機１はその内部に設置された内部アンテナ３と、携帯電話機１の筺体の外部へ引出し可能な線状の引出しアンテナ２と、この引出しアンテナ２および内部アンテナ３のいずれを用いるかを切替えるためのアンテナ切替装置である切替部材４とを備える。なお、携帯電話機１においては、図示していないが、電話番号などの文字情報や画像などを表示するための液晶表示部、スピーカ、マイク、電話番号や文字などを入力するための入力ボタンなどが備えられている。
図２〜５を参照して、本発明による携帯電話機１における切替部材４の構造および設置状況を説明する。
図２および３を参照して、切替部材４は携帯電話機１の筐体を構成するリアケース７に固定される。リアケース７の内周面には、切替部材４が設置される領域である切替部材設置位置１６を囲むように、切替部材４を固定するための周壁１７が配置されている。図４および５からもわかるように、切替部材４は付勢部材としてのバネ１１とベース部材としてのベース９と移動部材としてのスライドカム１０とからなる。スライドカム１０には凸部１３が形成されている。なお、ベース９とスライドカム１０とは潤滑性の樹脂などの誘電体からなる。また、バネ１１は金属からなる。
スライドカム１０はベース９に形成された直線状の移動路の内部に配置される。ベース９の内部に配置された状態において、スライドカム１０の凸部１３は、ベース９の外部へと突出した状態となっている。スライドカム１０はベース９の内部において直線状に摺動可能となっている。そして、ベース９の内周側に形成された端部２０と、スライドカム１０の端部１９との間にコイル状バネであるバネ１１が配置されている。バネ１１は金属製のコイル状バネであり、比較的入手が容易で安価である。このバネ１１によって、スライドカム１０はベース部材９において孔１８が存在する方向へと押付けられることになる。ベース９の孔１８は、引出しアンテナ２を挿通するために設けられている。
次に、図６〜９を参照して、図１に示した携帯電話機１における切替部材４の動作を説明する。図６および７は、携帯電話機１において引出しアンテナ２が携帯電話機１の筐体内部に収容された状態を示している。図８および９は、図１に示した携帯電話機において引出しアンテナ２が携帯電話機１の筐体の外部へと引出された状態を示している。
図６および７を参照して、携帯電話機１において引出しアンテナ２が携帯電話機１の筺体内部へと収納された状態では、引出しアンテナ２のアンテナ上部５表面に切替部材４を構成するスライドカム１０の一方端部が接触した状態となっている。すなわち、引出しアンテナ２は、切替部材４のベース９に形成された孔１８を挿通するように配置されている。そして、図６および７に示すように引出しアンテナ２が携帯電話機１の筺体内部に収納された状態では、切替部材４のベース９における孔１８の内部に引出しアンテナ２のアンテナ上部５の一部が位置することになる。切替部材４においては、バネ１１により孔１８の方向へとスライドカム１０が押圧された状態となっている。このため、スライドカム１０の一方端部が引出しアンテナ２のアンテナ上部５表面に接触した状態となっている。このとき、図７からもわかるように、切替部材４上においてスライドカム１０の凸部１３と対向する位置に配置されているスイッチ８のスイッチ凸部１５と、スライドカム１０の凸部１３とは間隔を隔てて対向した状態になっている。スイッチ８は、携帯電話機１の基板６上に設置されている。
次に、図８および９に示すように、引出しアンテナ２が携帯電話機１の筐体外部へと引出された状態では、引出しアンテナ２のアンテナ下端部１４が切替部材４のベース９の孔１８を通り抜けてベース９より上方に位置している。すなわち、切替部材４のベース９の孔１８内部には引出しアンテナ２のアンテナ下端部１４は配置されていない。したがって、切替部材４においては、スライドカム１０は引出しアンテナ２とは接触せず、付勢部材としてのバネ１１によってスライドカム１０が孔１８の方向に押圧されているので、スライドカム１０の一方端部が孔１８の内部にまで侵入した状態となっている。すなわち、スライドカム１０は、孔１８の方向へと引出しアンテナ２の直径分だけ移動した状態となっている。このとき、スライドカム１０の凸部１３がスイッチ８のスイッチ凸部１５と接触し、このスイッチ凸部１５をスイッチ８の内部に押込んだ状態となっている。
すなわち、引出しアンテナ２を携帯電話機１の筐体内部に収納した状態では、スイッチ８のスイッチ凸部１５はスライドカム１０の凸部１３によって押圧された状態とはなっていない（スイッチ凸部１５とスライドカム１０の凸部１３とは間隔を隔てて対向して配置された状態になっている）一方で、引出しアンテナ２を携帯電話機１の筐体外部へと引出したときには、スイッチ８のスイッチ凸部１５はスライドカム１０の凸部１３により押された状態となる。
このため、スイッチ８のスイッチ凸部１５が押されているかどうかによって、引出しアンテナ２が筐体内部に収納されているか、あるいは筐体外部へ引出されているかを検出することができる。この結果、スイッチ８のスイッチ凸部１５が押されているかどうかによって携帯電話機１における引出しアンテナ２と内部アンテナ３とのいずれを用いるかを切替えるように携帯電話機を制御することができる。
このように、本発明による切替え部材４は、ベース９、スライドカム１０およびバネ１１という３つの部材からなる比較的単純な構造であるので、従来のように複雑な切替部材を用いる場合より切替部材４の機構精度および組立性を向上させることができる。また、部品点数が従来より少ないために、切替部材４の機構精度を従来と同程度にする場合、個々の部品（ベース９やスライドカム１０など）の設計余裕を従来よりも大きくできる。また、このように単純な構造とすることにより切替部材４の製造工程を簡略化できるので、製造コストを低減できる。
また、このように切替部材４は単純な構造を有しているため、容易に小型化を図ることができる。したがって、この切替部材４が携帯電話機１において占有する体積、あるいは設置面積を小さくすることができる。
また、切替部材４を構成する部材としてのベース９およびスライドカム１０は、上述のように樹脂で形成されている。したがって、従来のように金属製のビスなどを用いた複雑な切替部材よりも軽量化を図ることができる。
（実施の形態２）
図１０および１１を参照して、本発明による携帯電話機の実施の形態２において用いられる切替部材を説明する。
図１０および１１を参照して、切替部材４は基本的には本発明の実施の形態１において用いた切替部材と同様の構造を備えるが、付勢部材としてコイル状のバネではなく板状バネ２１を用いている。この板状バネ２１は弾性を有する樹脂からなり、スライドカム１０と一体成形されている。すなわち、板状バネ２１と一体成形されたスライドカム１０、ベース９という切替部材４を構成する部材は全て誘電体である樹脂からなる。
このような切替部材４によれば、本発明の実施の形態１による携帯電話機に用いられた切替部材と同様の効果が得られるとともに、切替部材４を板状バネ２１が一体成形されたスライドカム１０とベース９という２つの部材によって構成することができるまで、切替部材４の構造をより簡略化することができる。したがって、切替部材４の組立工程を簡略化できるので、切替部材４の製造コストを低減できる。
また、切替部材４の全体をすべて誘電体である樹脂製とすることができるので、切替部材４の存在が引出しアンテナ２の特性に悪影響を及ぼす事はない（引出しアンテナ２の近傍に本発明の実施の形態１のように金属製のバネ１１が存在する場合は、この金属製のバネ１１の存在が引出しアンテナ２の特性に悪影響を及ぼすおそれがあるが、図１０および１１に示した切替部材４ではそのような悪影響は発生しない）。この結果、引出しアンテナ２の特性を良好に保つことが可能になる。したがって、引出しアンテナ２の特性を良好に保つことができるので、携帯電話機１の製品設計の際に、特性についての余裕を十分に確保することができる。
また、上述のように切替部材４を構成する部品点数が削減されることにより、携帯電話機のコストダウンを図ることが可能になる。
図１２は、切替部材の変形例に用いられるベース９を示している。図１２を参照して、樹脂製のベース９には樹脂製の板状バネ２１が一体成形されている。そして、図１２に示したベース９に図５に示したスライドカム１０を設置することにより、図１０および１１に示した切替部材と同様の機能を有する切替部材を実現することができる。
この場合も、板状バネ２１が一体成形されたベース９とスライドカム１０という２つの部材から切替部材４を構成することができる。この結果、図１０および１１に示した切替部材と同様の効果を得ることができる。
（実施の形態３）
図１４〜１７を参照して、本発明による携帯電話機の実施の形態３を説明する。図１４は図６に対応する。図１５は図７に対応する。図１６は図８に対応する。図１７は図９に対応する。図１４および１５は携帯電話機１において引出しアンテナ２が筐体の内部に収納された状態を示し、図１６および図１７は、携帯電話機１において引出しアンテナ２が筺体外部へと引出された状態を示している。
図１３を参照して、本発明による携帯電話機の実施の形態３に用いる切替部材では、スライドカム１０が板状バネ２５、検出スイッチ２４および端子２３を備える。板状バネ２５、検出スイッチ２４および端子２３は切替手段を構成する。端子２３はスライドカム１０の凸部２２の上部表面に形成されている。また、検出スイッチ２４および板状バネ２５は、スライドカム１０の側壁面に形成されている。
図１４〜１７を参照して、本発明による携帯電話機の実施の形態３における切替部材の動作を説明する。
図１４および１５に示すように、引出しアンテナ２が携帯電話機１の筐体内部に収納されている状態では、図６および７に示した場合と同様に、引出しアンテナ２のアンテナ上部の表面にスライドカム１０の一方端部が接触した状態となっている。なお、図１４〜１７に示した切替部材４は、ベース９の内部に図１３に示したスライドカム１０とスペーサ２６とが配置されている。なお、ここでは本発明の実施の形態１におけるベース９を利用するためにスペーサ２６を用いているが、ベース９の長さをスペーサ２６の長さ分だけ短くしておけば、スペーサ２６は必要無い。
そして、図１４および１５に示すように、引出しアンテナ２が携帯電話機１の筐体内部に収納された状態では、スライドカム１０の一方端部が引出しアンテナ２のアンテナ上部表面に接触するため、スライドカム１０の位置がスペーサ２６側へと寄った状態となっている。このため、板状バネ２５がスペーサ２６（あるいは、ベース９の長さをスペーサ２６の長さだけあらかじめ短くしておく場合、ベース９）によって押圧されるので、板状バネ２５は検出スイッチ２４に接触している。この場合、検出スイッチ２４に板状バネ２５が接触した状態に対応した信号が端子２３から基板６表面に設置された基板側端子２７へと伝えられる。基板側端子２７は、スライドカム１０の端子２３と接触するように配置されている。
次に、図１６および１７に示すように、引出しアンテナ２が携帯電話機１の筐体外部へと引出された場合、図８および９に示した場合と同様に、引出しアンテナ２のアンテナ下端部１４が切替部材４のベース９の孔１８の内部に存在しない状態となる。このため、板状バネ２５の弾性力によりスライドカム１０は孔１８の方向へと移動する。この結果、図１６および１７に示したように検出スイッチ２４と板状バネ２５とは接触せずに間隔を隔てて対向することになる。このとき、検出スイッチ２４に板状バネ２５が接触していない状態に対応する信号が端子２３から基板６表面に設置された基板側端子２７へと伝えられる（なお、この場合、端子２３から基板側端子２７へ何も信号を伝送しないようにしておいてもよい）。
このように、引出しアンテナ２が携帯電話機１の筐体内部に収納された状態においては、検出スイッチ２４に板状バネ２５が接触した状態となり、一方で引出しアンテナ２が携帯電話機１の筐体外部へと引出された場合には、スライドカム１０における検出スイッチ２４には板状バネ２５が接触していない状態となる。そして、この検出スイッチ２４に板状バネ２５が接触しているかどうかを示す電気信号をスライドカム１０の端子２３から基板側端子２７を介して基板６上に形成された制御回路へと伝えることにより、引出しアンテナ２が引出された状態であるか収納された状態であるかを容易に検出することができる。そして、この引出しアンテナ２の状態によって、携帯電話機１の内部に配置されている内部アンテナ３あるいは引出しアンテナ２のいずれを用いて通信を行なうかを切替えることができる。たとえば、引出しアンテナ２が図１６および１７に示すように携帯電話機１の筺体外部へと引出された場合には、引出しアンテナ２を用いて通信を行ない、一方、図１４および１５に示すように、引出しアンテナ２が携帯電話機１の筺体内部に収納された状態では内部アンテナ３を用いて通信を行なうことができる。
このようにすれば、切替部材４自体が板状バネ２５、検出部材としての検出スイッチ２４および端子２３という切替手段を備えるので、移動部材としてのスライドカム１０の位置を検出する検出器としてのスイッチ８などを別部材として設置する場合より、切替部材４を適用する携帯電話機１の装置構成を簡略化できる。したがって、形態電話機１の製造コストを削減することができる。
図１８〜２１を参照して、本発明による携帯電話機の実施の形態３の変形を説明する。図１８は図１４に対応する。図１９は図１５に対応する。図２０は図１６に対応する。図２１は図１７に対応する。図１８および１９は、本発明による携帯電話機の実施の形態３の変形例において引出しアンテナ２が携帯電話機１の筐体内部に収納された状態を示している。また、図２０および２１は、本発明による携帯電話機の実施の形態３の変形例において引出しアンテナ２が筺体の外部へと引出された状態を示している。
図１８〜２１を参照して、携帯電話機は基本的には図１３〜１７に示した本発明による携帯電話機の実施の形態３と同様の構造を備えるが、切替部材４の構成が異なる。すなわち、図１８〜２１に示した携帯電話機１に用いられる切替部材４には、スライドカム１０を孔１８の方向へと押圧するためのコイル状のバネ２８が付加されている。このようにすれば、このバネ２８により確実にスライドカム１０を孔１８の方向へと押付けることができる。したがって、スライドカム１０の端部を引出しアンテナ２の表面へと確実に接触させることができる。
そして、図１８〜２１に示した携帯電話機によっても、図１３〜１７に示した携帯電話機と同様の効果を得ることができる。すなわち、スライドカム１０に検出スイッチ２４および板状バネ２４が設置されているため、内部アンテナと引出しアンテナ２とを切替えるために必要な部品点数を削減することができる。この結果、携帯電話機の製造コストを低減することができる。
また、スライドカム１０に検出スイッチが一体成形されているので、本発明による携帯電話機の実施の形態１のようにスライドカムとは別の位置にスイッチ８を配置する必要がない。このため、スイッチ８を設置するための実装スペースを確保する必要がないので、携帯電話機をさらに小型化することができる。
（実施の形態４）
図２２および２３を参照して、本発明による携帯電話機の実施の形態４を説明する。図２２は引出しアンテナ２が携帯電話機１の筐体内部に収納された状態を示し、図２３は、携帯電話機１の筐体内部から引出しアンテナ２が外部へと引出された状態を示している。
図２２および２３を参照して、携帯電話機１は、筺体内部に配置された基板６と、この基板６表面に設置されたスイッチ３０と、引出しアンテナ２と、内部アンテナ（図示せず）とを備える。また、携帯電話機１は、液晶表示装置、スピーカ、マイク、文字や数字などを入力するための入力ボタンなど、通常の携帯電話機が備えるその他の構造も備えている。
アンテナ切替装置としてのスイッチ３０には、回転軸３２を中心として開閉可能な開閉部３１が設置されている。また、引出しアンテナ２のアンテナ下端部１４には、この開閉部材としての開閉部３１と接触可能なアンテナ凸部２９が形成されている。そして、図２２に示すように引出しアンテナ２が携帯電話機１の筐体内部に収納されている場合、アンテナ２のアンテナ凸部２９が開閉部３１を確実に押圧することになる。この結果、開閉部３１はスイッチ３０の表面３３に形成された検出部材としてのスイッチ凸部３４を押した状態になる。一方、引出しアンテナ２が携帯電話機１の筐体の外部へと引出された状態では、開閉部３１は回転軸３２を中心として開放した状態となる。このように開閉部３１を開放した状態とするため、コイル状バネなどを回転軸３２に組込んでもよい。この結果、図２３に示すように、引出しアンテナ２が携帯電話機１の筐体外部へと引出された場合には、スイッチ３０のスイッチ凸部３４に開閉部３１が接触しない状態となる（スイッチ凸部は開閉部３１によって押圧されない状態となる）。
すなわち、引出しアンテナ２が携帯電話機１の筺体内部へと収納された場合には、スイッチ凸部３４が押された状態（オン状態）となり、一方、引出しアンテナ２が携帯電話機１の筐体外部へと引出された場合には、スイッチ凸部３４は押された状態とはならず、開放状態（オフ状態）となる。つまり、このスイッチ３０により引出しアンテナ２が引出された状態であるか筺体の内部に収納された状態であるかを容易に検出できる。そして、このスイッチ凸部３４の状態に対応する信号を基板６上に形成された制御回路へと伝送することにより、引出しアンテナ２の状態に対応して、引出しアンテナ２と内部アンテナとのいずれを用いるかを切替える制御を行なうことができる。たとえば、引出しアンテナ２が図２２に示すように携帯電話機１の筐体内部に収納されている場合、内部アンテナを用いて通信を行ない、一方、図２３に示すように、引出しアンテナ２が携帯電話機１の筐体外部に引出された場合には、この引出しアンテナ２を用いて通信を行なうように制御することができる。
このように、開閉部３１およびスイッチ凸部３４を備えるスイッチ３０という比較的簡単な構造の部材を用いて引出しアンテナ２の状態（引出された状態であるか収納された状態であるか）を容易に検出することができる。このため、従来よりも切替部材の部品点数を削減することができるので、携帯電話機の製造コストを低減することができる。
また、本発明の実施の形態１〜３のように、切替部材がスライドカムとベースとを備えている場合よりも、切替部材であるスイッチ３０の体積をより小さくすることができる。また、スイッチ３０は単純な構造であることから、容易に小型化を図る事ができる。この結果、携帯電話機１を小型化・軽量化することが可能になる。
また、部品点数が少ないために、アンテナ切替装置としてのスイッチ３０の機構精度を従来と同程度にする場合、個々の部品（開閉部３１やスイッチ凸部３４など）の設計余裕を従来よりも大きくできる。また、個々の部品の設計余裕を従来と同程度にしておけば、スイッチ３０の機構精度を従来より向上させることができる。
また、引出しアンテナ２にはアンテナ凸部２９が形成されているので、このアンテナ凸部２９により開閉部３１を確実に押圧することができる。したがって、第１のアンテナとしての引出しアンテナ２の位置をスイッチ３０において誤検出することを防止できる。
なお、本発明の実施の形態１〜４に示した切替部材４やスイッチ３０は、図１に示したような形状の携帯電話機のみではなく、いわゆる折畳式の携帯電話機においても適用可能である。また、本発明は、携帯電話機のみではなく、複数のアンテナを切替えて使用するような電子機器に適用できる。
産業上の利用可能性
この発明によるアンテナ切替装置は、携帯電話機または通信機能を有する携帯パソコンおよび個人情報端末などの電子機器、さらには通常の無線機などに利用することが可能である。
【図面の簡単な説明】
図１は、本発明による携帯電話機の実施の形態１を示す模式図である。
図２は、図１に示した携帯電話機において、切替部材がどのように設置されているかを説明するための模式図である。
図３は、図２の線分ＩＩＩ−ＩＩＩにおける断面模式図である。
図４は、切替部材の斜視模式図である。
図５は、図４に示した切替部材の分解斜視模式図である。
図６は、図１に示した携帯電話機の部分拡大断面模式図である。
図７は、図６の線分ＶＩＩ−ＶＩＩにおける断面模式図である。
図８は、図１に示した携帯電話機の部分拡大断面模式図である。
図９は、図８の線分ＩＸ−ＩＸにおける断面模式図である。
図１０は、本発明による携帯電話機の実施の形態２において用いられる切替部材の斜視模式図である。
図１１は、図１０に示した切替部材の分解斜視模式図である。
図１２は、図１０および１１に示した切替部材の変形例を説明するための斜視模式図である。
図１３は、本発明による携帯電話機の実施の形態３に用いられる切替部材のスライドカムを説明するための斜視模式図である。
図１４は、本発明による携帯電話機の実施の形態３における切替部材の動作を説明するための部分拡大断面模式図である。
図１５は、図１４の線分ＸＶ−ＸＶにおける断面模式図である。
図１６は、本発明による携帯電話機の実施の形態３における切替部材の動作を説明するための部分断面拡大模式図である。
図１７は、図１６の線分ＸＶＩＩ−ＸＶＩＩにおける断面模式図である。
図１８は、本発明による携帯電話機の実施の形態３の変形例を示す部分拡大断面模式図である。
図１９は、図１８の線分ＸＩＸ−ＸＩＸにおける断面模式図である。
図２０は、本発明による携帯電話機の実施の形態３の変形例を説明するためのもう１つの部分拡大断面模式図である。
図２１は、図２０の線分ＸＸＩ−ＸＸＩにおける断面模式図である。
図２２は、本発明による携帯電話機の実施の形態４を説明するための模式図である。
図２３は、本発明による携帯電話機の実施の形態４を説明するための模式図である。
【図１】
2003012918.tif 000003
【図２】
2003012918.tif 000004
【図３】
2003012918.tif 000005
【図４】
2003012918.tif 000006
【図５】
2003012918.tif 000007
【図６】
2003012918.tif 000008
【図７】
2003012918.tif 000009
【図８】
2003012918.tif 000010
【図９】
2003012918.tif 000011
【図１０】
2003012918.tif 000012
【図１１】
2003012918.tif 000013
【図１２】
2003012918.tif 000014
【図１３】
2003012918.tif 000015
【図１４】
2003012918.tif 000016
【図１５】
2003012918.tif 000017
【図１６】
2003012918.tif 000018
【図１７】
2003012918.tif 000019
【図１８】
2003012918.tif 000020
【図１９】
2003012918.tif 000021
【図２０】
2003012918.tif 000022
【図２１】
2003012918.tif 000023
【図２２】
2003012918.tif 000024
【図２３】
2003012918.tif 000025
【国際調査報告】
2003012918.tif 000026
2003012918.tif 000027
2003012918.tif 000028
2003012918.tif 000029